(57)【要約】本発明は、ＭＰＥＧ４規格に従って符号化されるビデオシーンに追加データを関連付けることにより、１つ又は数個の１次ビデオ信号を充実させるビデオ処理方法及びシステムに関り、この関連付けは、１次ビデオ信号及び追加データの同時表示を可能にし、且つ、ユーザは追加のデータンオコンテンツとインタラクトし、更に、アクセスすることが可能にされる。
2004521558.tif 000002
【特許請求の範囲】
【請求項１】
追加データを１次ビデオデータに関連付ける手段を含み、
上記関連付け手段は、多重化された後に、伝送チャネルを介してユーザに伝送されるデータセットを生成し、
上記ユーザは、上記伝送データを視覚化する手段の支配権を有するビデオ処理システムであって、
階層構造を有する所定のシーン記述と上記シーン記述に応じて配置されるシーン素子セットからビデオシーンを作成する手段を含み、
上記シーン素子セットは、上記１次ビデオ信号と、特に、上記ユーザによってトリガ可能であるイベントに関連付けられるアクティブシーン素子を含み、
上記シーン記述及び上記シーン素子は、上記追加データを構成することを特徴とするシステム。
【請求項２】
上記アクティブシーン素子のサブセットは、上記視覚化手段上に表示されるグラフィックメニュを画成し、別のシーン素子にアクセスすることによって、上記ユーザが上記ビデオシーンとインタラクトできるようにすることを特徴とする請求項１記載のビデオ処理システム。
【請求項３】
上記１次ビデオ信号との特定シーン素子の関連付けは、上記特定のシーン素子を上記１次ビデオ信号に対し半透明で視覚化することを特徴とする請求項２記載のビデオ処理システム。
【請求項４】
縮小形式のビデオシーン素子を生成するよう上記１次ビデオ信号をビデオ符号化する手段を含むことを特徴とする請求項３記載のビデオ処理システム。
【請求項５】
特定のシーン素子の状態の変化を特に考慮に入れるよう上記ビデオシーンを更新する手段を含むことを特徴とする請求項４記載のビデオ処理システム。
【請求項６】
上記伝送チャネルを介して、上記シーン記述及び上記シーン素子を定期的に伝送する手段を含むことを特徴とする請求項５記載のビデオ処理システム。
【請求項７】
追加データを１次ビデオ信号に関連付ける段階を含み、
上記関連付け段階は、多重化段階後に、伝送チャネルを介してユーザに伝送されるデータセットを生成し、
上記ユーザは、上記伝送データを視覚化する手段の支配権を有するビデオ処理方法であって、
階層構造を有する所定のシーン記述と上記シーン記述に応じて配置されるシーン素子セットからビデオシーンを作成する段階を含み、
上記シーン素子セットは、上記１次ビデオ信号と、特に、上記ユーザによってトリガ可能であるイベントに関連付けられるアクティブシーン素子を含み、
上記シーン記述及び上記シーン素子は、上記追加データを構成することを特徴とするビデオ処理方法。
【請求項８】
上記アクティブシーン素子のサブセットは、上記視覚化手段上に表示されるグラフィックメニュを画成し、別のシーン素子にアクセスすることによって、上記ユーザが上記ビデオシーンとインタラクトできるようにすることを特徴とする請求項７記載のビデオ処理方法。
【請求項９】
上記１次ビデオ信号との特定シーン素子の関連付けは、上記特定のシーン素子を上記１次ビデオ信号に対し半透明で視覚化することを特徴とする請求項８記載のビデオ処理方法。
【請求項１０】
縮小形式のビデオシーン素子を生成するよう上記１次ビデオ信号をビデオ符号化する段階を含むことを特徴とする請求項９記載のビデオ処理方法。
【請求項１１】
特定のシーン素子の状態の変化を特に考慮に入れるよう上記ビデオシーンを更新する段階を含むことを特徴とする請求項１０記載のビデオ処理方法。
【請求項１２】
上記伝送チャネルを介して、上記シーン記述及び上記シーン素子を定期的に伝送する段階を含むことを特徴とする請求項１１記載のビデオ処理方法。
【請求項１３】
ＭＰＥＧ４規格に従い符号化されるテレビジョン用のデジタル信号であって、
ＭＰＥＧ２規格に従い符号化されるビデオ信号素子と、
上記ＭＰＥＧ２規格に従い符号化されるビデオ信号素子から得られる、ＭＰＥＧ４規格に従い符号化される縮小形式のビデオ信号素子と、
グラフィックタイプの信号素子と、
テキストタイプの信号素子と、を含み、
上記信号素子のセットは、上記ＭＰＥＧ２規格に従い符号化されるビデオ信号の視覚コンテンツと他の信号素子の視覚コンテンツに、上記セットに属する信号素子の視覚コンテンツへのアクセスを可能にする信号素子とのインタラクションによって、同時にアクセスするためにシーン記述によりリンク付けされることを特徴とする信号。
【請求項１４】
ビデオ処理システム用のコンピュータプログラムプロダクトであって、
上記ビデオ処理システムにロードされると、上記ビデオ処理システムが請求項７乃至１２記載のビデオ処理方法の様々な段階を実行することを可能にする一連の命令を含むコンピュータプログラムプロダクト。
【発明の詳細な説明】
【０００１】
本発明は、追加データを一次ビデオ信号に関連付ける手段を含むビデオ処理システムに係る。この関連付け手段は、多重化された後に、伝送チャネルを介してユーザに伝送されるデータセットを生成する。このユーザは、伝送されたデータを視覚化する手段の支配権（ｄｉｓｐｏｓａｌ）を有する。
【０００２】
本発明は更に、追加データを一次ビデオ信号に関連付ける段階を含むビデオ処理方法に係る。この関連付け段階は、多重化された後に、伝送チャンネルを介してユーザに伝送されるデータセットを生成する。このユーザは、伝送されたデータを視覚化する手段の支配権を有する。
【０００３】
本発明は、ビデオ番組をブロードキャストするシステムに多く適用され、特に、ＴＶ番組の放送局のレベルにおいて、ビデオ番組のコンテンツが追加データによって充実されなければならないときに適用される。
【０００４】
ＰＣＴ出願ＷＯ００／３３１９７は、追加データを時間データシーケンスに関連付けることを可能にする方法及び装置について説明する。追加データは、時間データシーケンスのコンテンツにリンク付けされる。このために、各追加データは、開始時間及び終了時間によって時間データシーケンスにリンク付けされる。開始時間は、追加データが関連付けられる瞬間を示し、終了時間は、追加データがその後はもはや関連付けられなくなる瞬間を示す。追加データは、受信後、時間データシーケンスと共に画面上に表示されるときに、ユーザがインタラクトし得るコマーシャルに対応することが好適である。
【０００５】
従来技術文献に記載される追加データの関連付け方法は、幾つかの制限を有する。
【０００６】
まず、従来技術文献に記載される方法では、各追加データアイテムは、データシーケンスに対し時間的に位置付けられる。データシーケンスが、時間シフトされる場合、特に、追加データが、番組遅延したＴＶ番組のコンテンツに関連付けられなければならない場合、各追加データアイテムの全ての開始時間及び終了時間は再計算されなければならず、このことは、高価な制御手段を必要とする。
【０００７】
一方、追加データをデータシーケンスに関連付ける方法は、最終ビデオコンテンツが表示されるレベルにおいて、追加データアイテムをデータシーケンスのコンテンツにオーバレイすることによって特徴付けられる。追加データアイテムをクリックすることにより、ユーザは、追加データアイテムの詳細なコンテンツを有する新しい表示領域を開く。この追加データアイテムの表示モードは、ユーザにとってはあまり実用的ではなく、というのは、一方で、新しい表示領域を開くことは、データシーケンスのコンテンツを同じ限度で表示する領域を小さくし、他方で、追加データをクリックする数が多い程多数となる表示領域を最適に整理するために、ユーザは手動で表示を制御しなければならないからである。
【０００８】
最後に、従来技術文献による方法では、追加データアイテムは、追加データアイテムの対象を、より正確な方法でユーザに伝えるインターネットのサイトを指し示す場合がある。このことは、ユーザが、補完的な情報を入手する要求を満足するためにはそのようなインターネットアクセスを有する義務があるという欠点がある。
【０００９】
更に、従来技術文献による方法は、ユーザが希望しようとしまいと、データシーケンスのコンテンツに追加データが体系的に表示されてしまう。従って、ユーザには、永続的にこの追加データが表示され続け、ユーザはこの表示を制御することができず、データシーケンスのコンテンツのみを見たい場合に著しく妨害されることとなり得る。
【００１０】
本発明は、追加データの関連付けによって１つ又は数個の一次ビデオ信号を充実させる新規のビデオ処理システムを提供することによって、上述の制限をかなりの度合いで解決することを目的とする。この関連付けは、一次ビデオ信号と追加データの同時表示を可能にし、且つ、ユーザが追加データのコンテンツとインタラクトすることを可能にする。
【００１１】
このために、本発明は、ビデオ処理システムが、階層構造を有する所定のシーン記述と、そのシーン記述に応じて構成されるシーン素子のセットからビデオシーンを作成する手段を含み、シーン素子のセットは、１次ビデオ信号と、特に、ユーザによってトリガ可能であるイベントに関連付けられるアクティブシーン素子を含み、シーン記述及びシーン素子は、追加データを構成することを特徴とする。
【００１２】
別の特徴によると、本発明は、アクティブシーン素子のサブセットは、視覚化手段上に表示されるグラフィックメニュを画成し、別のシーン素子にアクセスすることによって、ユーザがビデオシーンとインタラクトできるようにすることを特徴とする
別の特徴によると、本発明は、１次ビデオ信号との特定のシーン素子の関連付けは、その特定のシーン素子を１次ビデオ信号に対し半透明で視覚化することを特徴とする。
【００１３】
本発明によると、且つ、１次ビデオ信号に、追加データが互いに関係なく考慮されて関連付けられる従来技術文書と対照的に、追加データは、様々なシーン素子間に存在する関係を記述するシーン記述に応じて配置されるシーン素子で構成されるビデオシーンを形成する。このことは、ビデオ処理システムが、追加データの１つのエンティティを１次ビデオ信号との関連付けに対し容易に操作することを可能にする。
【００１４】
追加データを含むビデオシーンは、ＭＰＥＧ４ビデオＩＳＯ／ＩＥＣ１４４９６−２規格に従って符号化され、また、特にシーンの記述は、ＢＩＦＳ形式（シーン記述のためのバイナリ形式）に従って符号化されることが有利である。これは、シーン中の位置、視覚的外観、インタラクションの可能性といった各シーン素子に対する特徴の画成を可能にするだけでなく、様々なシーン素子の相互リンク付けの画成も可能にする。
【００１５】
これらのシーン素子は、一方で、１次ビデオ信号のコンテンツにリンクする又はリンクしないコンテンツを有するデータに対応し、他方で、視覚化手段上に表示されるグラフィックメニュの画成を可能にするデータに対応する。
【００１６】
１次ビデオ信号及びビデオシーンをユーザに伝送した後、ユーザは、グラフィックメニュを用いてシーン素子を視覚化する。例えば、グラフィックメニュを構成するキータイプの素子をマウスでクリックすることにより生成されるユーザの行為は、シーン素子の表示をトリガする。このシーン素子自体が、新しいシーン素子を表示するためのユーザによる新しいインタラクションの対象であり得る。従って、グラフィックメニュは、ユーザが、シーン記述により画成される特定の分岐システムに応じてビデオシーンを検索することを可能にし、従って、ビデオ処理システムにより伝送される全てのシーン素子に対しアクセスを有する。ビデオ処理システムによって、全てのシーン素子がユーザに伝送されるので、ユーザのレベルでの適用は、別の伝送ネットワークを介してシーン素子を収集する必要がない点で完全に自立している。
【００１７】
従来技術の方法とは対照的に、グラフィックメニュは、ユーザが、視覚化したいシーン素子を選択することを可能にする。
【００１８】
シーン素子は、１次ビデオ信号のコンテンツと共に、視覚化手段上に同時に視覚化される。このために、シーン素子は、１次ビデオ信号のコンテンツに半透明で挿入され、それにより、シーン素子とビデオ信号のコンテンツは、同じ視覚化領域に表示可能にされる。
【００１９】
別の特徴によると、本発明は、ビデオ処理システムは、縮小形式のビデオシーン素子を生成するよう１次ビデオ信号をビデオ符号化する手段を含むことを特徴とする。
【００２０】
これは、縮小形式を有し、１次ビデオ信号と時間的に同期されるシーン素子の画成を可能にする。更に、ユーザに、数個の１次ビデオ信号が伝送されるが、１つの１次ビデオ信号のみが視覚化される場合、ユーザは、それでも、ビデオ信号のコンテンツを縮小形式で視覚化し得る。ビデオ信号のコンテンツは、縮小形式のシーン素子によって画面全体に表示されない。
【００２１】
別の特徴によると、本発明は、特定のシーン素子の状態の変化を特に考慮に入れるようビデオシーンを更新する手段を含むことを特徴とする。
【００２２】
別の特徴によると、本発明は、伝送チャネルを介して、シーン記述及びシーン素子を定期的に伝送する手段を含むことを特徴とする。
【００２３】
本発明は、特に、直接衛星放送イベントに対応するビデオ信号のコンテンツを充実させるために用いられ得、トピカルなデータだけでなく、特に、シーン素子の特性の変化に関する情報に、ユーザが永続的にアクセスすることができるよう特定のシーン素子の特徴を更新する手段が設けられる。
【００２４】
本発明は、特に、ユーザ群へのブロードキャストタイプの伝送に焦点を当てているので、上述の定期的な伝送は、シーン記述を受信した後に、ユーザが、表示されるメインの番組のコンテンツに対し補完的な情報を含むシーン素子を視覚化すること可能にする。
【００２５】
本発明のこれらの面及び他の面は、以下に説明する実施例を参照しながら、非制限的な例によって説明して明らかにする。
【００２６】
図１は、ユーザに伝送する前における、追加データの関連付けにより一次ビデオ信号のコンテンツを充実させる本発明のビデオ処理システムを示す。非制限的な例として、コンテキストは、フォーミュラ１のレースコースの直接衛星放送に関連するものとする。本発明のビデオ処理システムは、このレースコースに関するメインの番組をフルテレビ受像機（ＴＶ）画面に同時に表示しながら、このＴＶからのインタラクションによって、ＴＶに表示されるこのスポーツイベントの補完的な情報を、ユーザが入手することを可能にするよう用いられる。
【００２７】
処理システムは、入力において、例えば、サーキットの数箇所に位置付けられるビデオカメラから、１次ビデオ信号１０１のセットを受信する。この信号は、本発明のビデオ処理システムにより追加データが関連付けられる様々なメイン番組に対応する。この信号は、符号化ユニット１０２によってＭＥＰＧ２規格に従い符号化され、符号化ビデオ信号１０３が生成される。当然ながら、本発明は、メイン番組が１つしかない場合でも用いることが可能である。
【００２８】
信号１０３に関連付けられる追加データは、追加データとメイン番組が、ＭＥＰＧ４規格に従い符号化されるビデオシーンを構成するよう制御される。このビデオシーンは、ユーザのレベルにおいて、メニュを介してシーン素子へのアクセスを与えることを特徴とする。このメニュ自体も、ビデオシーンの一部を形成する。このビデオシーンは、記憶ユニット１０４に格納される所定のシーンモデルによって、処理後の信号１０１からのシーン素子によって、更に、メイン番組によって構成される。
【００２９】
シーンモデルは特に、そのスポーツイベントの前に、ユーザが思い通りにすることのできる全てのシーン素子を含む。例えば、シーン素子は特に、画像タイプ（例えば、Ｆ１パイロットの写真）、ビデオタイプ（例えば、試験走行のビデオクリップ）、グラフィックタイプ（例えば、Ｆ１レースコース図）、テキストタイプ（例えば、ドライバの経歴）のデータに関連する。これらの素子は、上述したメニュを画成するグラフィックタイプ（例えば、鍵）のデータにも関連する。
【００３０】
シーンモデルは更に、シーンの記述、即ち、階層的構造を含む。様々なシーン素子は、この階層構造に応じて制御される。このシーン記述は、ＢＩＦＳ形式（シーン記述のためのバイナリ形式）に応じて符号化される。このシーンの記述から、様々なシーン素子は、フィールドセット（例えば、画像中の位置、形式、外観、インタラクション等）によって個々に特徴付けられるが、このシーン素子は、階層構造によって画成される分岐によって相互にリンク付けされる。
【００３１】
シーン素子がインタラクション特性を有する場合、このシーン素子に対するユーザの行為は、ユーザがイベントをトリガさせることを可能にする。これは、メニュのボタンを画成するシーン素子の場合であり、ユーザの行為（例えば、マウスカーソルでクリックする）の後、ユーザのＴＶ上に別のシーン素子の表示（例えば、順位の表示）をトリガする。この別のシーン素子自体もインタラクション特性を有して、ユーザが別の表示イベント（例えば、首位者の経歴）をトリガすることを可能にする。このようにして、ユーザは、そのスポーツイベントの補完的な情報を入手するという目的の下で、所定の分岐構造に応じてメイン番組に関連付けられるビデオシーンのシーン素子のセットを検索することができる。
【００３２】
ビデオシーンは更に、ビデオ信号１０１から形成されるシーン素子、即ち、信号１０１と時間的に同期されるシーン素子を含む。このシーン素子が、メイン番組のコンテンツに関する補完的な情報を含む範囲において、本発明は、符号化手段１０６及び１０８を設け、これらの手段により、縮小された形式を有する符号化ビデオ信号１０９を生成することができる。このために、処理段１０６は、様々な信号１０１の画素領域におけるサブサンプリング動作を行い、それにより、サブサンプリングされたビデオ信号１０７を生成する。信号１０７は、次に、エンコーダ１０８によって、ＭＥＰＧ４  ＩＳＯ／ＩＥＣ１４４９６−２規格に従い符号化され、それにより、上述した信号１０９が生成される。信号１０９は、可能である場合には、記憶ユニット１１０に一時的に格納される。
【００３３】
記憶ユニット１０４及び１１０に格納される様々なシーン素子は、シーンを編集するためのユニット１０５によって制御される。ユニット１０５は、所定のシーン記述に応じて、ビデオ信号１０３によって運ばれるメイン番組に関連付けられるべき全ての追加データを含むビデオシーン１１１を生成する。
【００３４】
シーン編集ユニット１０５は更に、信号１０３によって運ばれるメイン番組も考慮に入れ、それにより、信号１１１によって運ばれるＭＥＰＧ４シーンにそれらを組込む。このために、シーン記述は、それらをシーン素子に関連付け、各シーン素子は、例えば、データカーソルによって、ＭＥＰＧ２規格に従い符号化されるビデオ信号１０３のうちの１つを参照する。ユーザのレベルにおいて、ユーザは、シーンにおけるメイン番組のセットから、自分のＴＶ上で効果的に表示することを希望する番組を選択し、そのメイン番組のコンテンツには、追加データも表示される。
【００３５】
本発明の１つの変形（図示せず）では、シーン素子は、本発明のビデオ処理システムから遠隔にあるインターネットサイトのコンテンツから直接供給される。
【００３６】
このシーン編集ユニットは更に、特定のシーン素子の特徴を更新するために用いられる。実際に、本発明は、レースコース時に重要なイベントが起きたことをユーザに信号で伝える特殊な特性を有する「警告」タイプのシーン素子を送る可能性を提供する。従って、この警告タイプの素子は、特に、その外観を修正するだけでなく、ユーザの行為の後に続いてトリガしなければならないイベントを更新する（例えば、メニュボタンをクリックすることによって、事故を写したビデオクリップの表示に対応する重要なイベントが現れる）ことによって、重要なイベントが発生したら直ぐに更新されなければならない。他のシーン素子も、ユニット１０５に更新され得、特に、数回のラップ経過後のフォームラ１ドライバの順位に関連するテキストタイプのシーン素子といったテキストタイプのシーン素子が更新され得る。ビデオシーン１１１を更新するために、ユニット１０５は、この目的のために与えられ、特に、ＭＥＰＧ４ビデオシーンの全ての又は一部の素子の記述及び更新を可能にするＢＩＦＳ命令を用いることにより当業者には周知であるＭＰＥＧ４メカニズムを用いる。
【００３７】
本発明の処理システムは、特に、ユーザ群に対するＴＶ番組のブロードキャスティングのコンテキストで用いられるので、記憶ユニット１０４に格納されるシーン素子セット及びシーン記述は、高すぎる通過帯域で伝送されるデータストリームを生成しないよう永続的に伝送されるわけではない。しかしながら、これらのデータは、ユーザがメイン番組に関連する追加データにアクセスすることを望む場合、特に、メニュを構成するシーン素子を表示することを望む場合に必要であるので、本発明の処理システムは、記憶ユニット１０４に格納されるシーン素子セット及びシーンの記述の定期的な伝送を可能にする手段（図１には示さず）も含む。この定期的な伝送は、ＲＡＰ（ランダムアクセスポイント）タイプである。このようにして、追加データにアクセスすることを希望するユーザは、シーンの記述と、この記述を構成するシーン素子を受信するまでに、最大で、２つの定期伝送の間待ち、そして、そのシーンを自分のＴＶ上で見ることになる。
【００３８】
尚、信号１０１によって運ばれるビデオシーンは、上述したようにビデオシーン素子だけでなく、記憶ユニット１０４に格納されるオーディオタイプのシーン素子も含む。
【００３９】
最後に、このように形成され、追加データを表すビデオシーン１１１と、メイン番組に対応する信号１０３は、多重化ユニット１１２によって多重化され、通信チャンネルを介してユーザに伝送される信号１１３を生成する。
【００４０】
図２は、図１に示すビデオ処理システムと同一であるが、異なる性質の１次ビデオ信号を処理する本発明のビデオ処理システムを示す。ビデオ信号１０１は、例えば、ＭＥＰＧ２ビデオ圧縮規格に従って、既に符号化されている。このビデオ処理システムは、特に、サービスプロバイダによる使用に焦点が当てられている。
【００４１】
用いる手段を考慮するに、まず、図１を参照して説明した符号化段１０２は、信号１０１がＭＥＰＧ２規格に準じて既に符号化されているので省略する。
【００４２】
図１に対して他の変更は、ビデオ信号１０１から得られる縮小した形式のビデオ信号１０９を生成する手段に関する。ここでは、信号１０９を生成するためにトランスコーディング手段２０８を用いる。この手段２０８は、特に、画素領域で復号化されるビデオ信号を生成するＭＥＰＧ２デコーダと、縮小形式の復号化ビデオ信号を生成するよう上述の復号化ビデオ信号をサブサンプリングする手段と、縮小形式のビデオ信号１０９を生成するＭＰＥＧ４エンコーダのカスケード構成で構成される。
【００４３】
シーン素子１０９と記憶ユニット１０４に格納されるシーン素子からビデオシーンを作成する手段は、図１を参照して説明した手段と同一である。
【００４４】
図３は、非制限的な例として、メイン番組のコンテンツについての補完的な情報を含むシーン素子を、ユーザの行為を介して、視覚化するためにユーザがアクセスを有するメニュの分岐構造を示す。この分岐構造は、記憶ユニット１０４に格納され、ＭＥＰＧ４ビデオシーンを生成するために本発明のビデオ処理システムにより使用されるシーンの所定の記述の特徴に従う。上述した説明を補完するよう、このシーンは、上述したスポーツイベントのコンテンツに関するものとする。
【００４５】
分岐構造は、第１のレベル３０１を含み、このレベルでは、ユーザは、メイン番組のコンテンツを自分のＴＶの画面全体に視覚化するのみである。ユーザがメイン番組のコンテンツに関する追加情報にアクセスすることを望む場合、レベル３０２がメニュを表示して、様々なシーン素子とのインタラクションを可能にする。この実施例では、このメニュは、ユーザが様々なタイプのシーン素子にアクセスすることを可能にする４つの分岐を含む。第１の分岐は、レベル３０３に関り、レベル３０３は、例えば、フォーミュラ１サーキットの別の眺め示す縮小形式のビデオを示すビデオタイプのデータアイテムを表示する。このビデオは、メイン番組のコンテンツの上に重ねられる。第２の分岐は、レベル３０４に関り、レベル３０４は、例えば、数回のラップ経過後のドライバの順位に関する情報を与えるテキストタイプのデータを表示する。このテキストデータは、メイン番組のコンテンツの上に重ねられる。第３の分岐は、レベル３０５に関り、レベル３０５は、例えば、サーキット内のレーシングカーの位置に関する情報を与えるグラフィックタイプのデータを表示する。このグラフィックデータは、メイン番組のコンテンツの上に重ねられる。第４の分岐は、レベル３０６に関り、レベル３０６は、メイン番組のコンテンツの上に重ねられる様々なタイプのシーン素子を表示するが、このタイプは、関連付けられる素子の使用に応じて異なる。即ち、例えば、発生したレーシングカーの事故を示すビデオタイプ、又は、例えば、レースの首位者の人物像を表示する画像タイプである。レベル３０６は、特に、警告性質を有する追加データ専用である。尚、レベル３０７に関するシーン素子と共にレベル３０３、３０４、及び３０５に関するシーン素子を同時に表示することが可能であり、結果として、表示レベル３０７がもたらされる。
【００４６】
図４は、非制限的な方法で、本発明のビデオ処理システムによって形成される信号の受信及び復号化の後の、メイン番組４０１と追加データセットのＴＶ４０２上における同時表示を示す。上述した復号化は、例えば、セットトップボックスタイプの受信器内に実装されるＭＰＥＧ４デコーダによって行われる。
【００４７】
追加データは最初に、メニュ４０３の領域を画成し、それにより、ボタン４０４、４０５、４０６、及び、４０７によって様々なシーン素子にアクセスすることにより、ユーザがビデオコンテンツとインタラクト可能にする。これらのボタン４０４、４０５、４０６、及び、４０７は、図３を参照して説明した視覚化レベル３０３、３０４、３０５、及び、３０６のそれぞれへのアクセスを可能にする。
【００４８】
例えば、マウスのカーソル又はＴＶ遠隔制御ユニット上の移動矢印を用いてボタンをクリックし、その後に、位置を有効化することによって、表示イベントがトリガされ、メイン番組４０１のコンテンツと共に半透明のシーン素子４０１が表示される。
【００４９】
例えば、ボタン４０４をクリックすると、縮小ビデオ形式でサーキットの別の眺めが表示される。例えば、ボタン４０５をクリックすると、フォーミュラ１ドライバの順位に関する情報を与えるテキストタイプのデータが表示される。例えば、ボタン４０６をクリックすると、サーキット内のレーシングカーの位置についての情報を与えるグラフィックタイプのデータが表示される。ボタン４０７をクリックすると、様々なタイプのデータが表示される。このタイプは、シーンの合成時に関連付けられるシーン素子のタイプの関数である。ボタン４０７は、特に、警告の内容について知らされるようユーザにそのボタンをクリックさせることによって、警告タイプのイベントをユーザに伝えるための専用ボタンである。
【００５０】
ビデオ処理システムにおけるハードウェアの使用に関して、特に、メモリ内に格納され、特に、コンピュータプログラムの編集の後に得られる命令セットを実行することにより様々なデータに対し上述した様々な動作及び処理段階を行う信号プロセッサを用いる。
【図面の簡単な説明】
【００５１】
【図１】本発明の第１のビデオ処理システムを示す図である。
【図２】本発明の第２のビデオ処理システムを示す図である。
【図３】本発明のビデオ処理システムにより追加データが制御される分岐構造を示す図である。
【図４】本発明によってメイン番組のコンテンツに対し追加であるデータの表示を示す図である。
【国際公開パンフレット】
2004521558.tif 000003
2004521558.tif 000004
2004521558.tif 000005
2004521558.tif 000006
2004521558.tif 000007
2004521558.tif 000008
2004521558.tif 000009
2004521558.tif 000010
2004521558.tif 000011
2004521558.tif 000012
2004521558.tif 000013
2004521558.tif 000014
2004521558.tif 000015
2004521558.tif 000016
2004521558.tif 000017
2004521558.tif 000018
2004521558.tif 000019
2004521558.tif 000020
【国際調査報告】
2004521558.tif 000021
2004521558.tif 000022
2004521558.tif 000023
2004521558.tif 000024